【事件の表示】
　特願２００８−５４１２０３「可食性生分解性物品で用いる組成物及び使用方法」拒絶査定不服審判事件〔平成１９年　５月３１日国際公開、ＷＯ２００７／０６１５９２、平成２１年　４月２３日国内公表、特表２００９−５１６５１１〕について、次のとおり審決する。
【結　論】
　本件審判の請求は、成り立たない。
【理　由】
第１　手続の経緯
　本願は、２００６年１１月１日（パリ条約による優先権主張外国庁受理　２００５年１１月２１日、米国）を国際出願日とする出願であって、平成２３年９月２２日付けの拒絶理由通知に対して、平成２４年３月２６日に意見書及び手続補正書が提出され、その後、平成２４年６月１４日付けで拒絶査定がなされ、これに対し、平成２４年１０月１９日に拒絶査定に対する審判請求がなされ、同時に手続補正がなされたものである。
　そして、当審において、平成２４年１１月１３日付けで審査官により作成された前置報告書について、平成２６年１月３０日付けで期間を指定して審尋を行ったが、審判請求人からの応答はなかった。
　
第２　平成２４年１０月１９日付けの手続補正についての補正却下の決定
　
１．補正却下の決定の結論
　平成２４年１０月１９日付けの手続補正を却下する。
　
２．理由
（１）補正の内容
　平成２４年１０月１９日付けの手続補正（以下、「本件補正」という。）は、特許請求の範囲について補正をするものであって、請求項１について補正前後の記載を示すと以下のとおりである。
　
（補正前の請求項１）
「可食性生分解性食品用容器の製造で用いる組成物において、
　水と、
　澱粉と、
　繊維と、
　離型剤と、
　ワックス乳剤と、
　第一の蛋白質又は天然高分子化合物と、
　を含んでおり、
　組成物が、食品用材料から成っており、
　澱粉が、アルファ化澱粉及び天然澱粉を含んでおり、
　アルファ化澱粉が、組成物中の総澱粉の、０重量％超〜３０重量％未満の範囲にある、
ことを特徴とする組成物。」
　
（補正後の請求項１）
「可食性生分解性食品用容器の製造で用いる組成物において、
　水と、
　澱粉と、
　繊維と、
　離型剤と、
　ワックス乳剤と、
　第一の蛋白質又は天然高分子化合物と、
　を含んでおり、
　組成物が、実質的に食品用材料から成っており、
　澱粉が、アルファ化澱粉及び天然澱粉を含んでおり、
　アルファ化澱粉が、組成物中の総澱粉の、０重量％超〜３０重量％未満の範囲にあり、
　第一の蛋白質又は天然高分子化合物が、カゼイン又は大豆蛋白質を含んでおり、
　乾燥時に組成物の物理的特性を向上させるために、第二の蛋白質を更に含んでおり、
　前記第二の蛋白質が、胚乳又はゼラチンを更に含んでおり、
　繊維が、長繊維、中間長繊維及び短繊維を含んでおり、
　繊維が、天然繊維材料を含んでおり、
　充填材を更に含んでおり、
　充填材が、有機であり、
　充填材が、炭酸カルシウム、シリカ、硫酸カルシウム水和物、ケイ酸マグネシウム、雲母鉱物、粘土鉱物、二酸化チタン又はタルク、を含んでおり、
　充填材が、短繊維を含んでおり、
　繊維が、成長の速い植物由来の繊維を含んでおり、
　ワックス乳剤が、天然ワックスを含んでおり、
　ワックス乳剤が、乳化カルナウバ蝋又は乳化カンデリラ蝋を含んでおり、
　離型剤が、ステアリン酸金属化合物、脂肪酸、タルク、脂肪又は油、を含んでおり、
　コーティングを更に含んでおり、
　コーティングが、組成物の素地に部分的に浸透し、
　着香剤と、着色剤と、を更に含んでいる、ことを特徴とする組成物。」
　
（２）補正の適否
　上記補正は、請求項１に記載した発明を特定するために必要な事項である「組成物」について、
「第一の蛋白質又は天然高分子化合物が、カゼイン又は大豆蛋白質を含んでおり、
　乾燥時に組成物の物理的特性を向上させるために、第二の蛋白質を更に含んでおり、
　前記第二の蛋白質が、胚乳又はゼラチンを更に含んでおり、
　繊維が、長繊維、中間長繊維及び短繊維を含んでおり、
　繊維が、天然繊維材料を含んでおり、
　充填材を更に含んでおり、
　充填材が、有機であり、
　充填材が、炭酸カルシウム、シリカ、硫酸カルシウム水和物、ケイ酸マグネシウム、雲母鉱物、粘土鉱物、二酸化チタン又はタルク、を含んでおり、
　充填材が、短繊維を含んでおり、
　繊維が、成長の速い植物由来の繊維を含んでおり、
　ワックス乳剤が、天然ワックスを含んでおり、
　ワックス乳剤が、乳化カルナウバ蝋又は乳化カンデリラ蝋を含んでおり、
　離型剤が、ステアリン酸金属化合物、脂肪酸、タルク、脂肪又は油、を含んでおり、
　コーティングを更に含んでおり、
　コーティングが、組成物の素地に部分的に浸透し、
　着香剤と、着色剤と、を更に含んでいる」との限定を付加するものであって、補正前の請求項１に記載された発明と補正後の請求項１に記載された発明の産業上の利用分野及び解決しようとする課題が同一であるから、平成１８年法律第５５号改正附則第３条第１項によりなお従前の例によるとされる同法による改正前の特許法（以下、「平成１８年改正前特許法」という。）第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する特許法第１２６条第５項の規定に適合するか）について以下に検討する。
　
ア．本願補正発明
　本願補正発明は、本件補正後の請求項１に記載された事項により特定されるとおりのものである（上記（１）の（補正後の請求項１）参照。）。
　
イ．刊行物に記載された事項
（ア）刊行物１に記載された事項
　原査定で引用文献１として引用され、本願優先権主張日前に頒布された刊行物である「国際公開第２００５／０２１６３３号」（以下、「刊行物１」という。）には、以下の事項が記載されている。（日本語訳は、対応する、特表２００７−５１７９１９号公報による。）
　なお、下線は当審にて付与したものであり、「……」は記載の省略を示す。以下、同様である。
　
（刊１−１）「[0018] It is an object …… coating systems.」
「【００１８】
  本発明の目的は、容器、箱、プレート、トレー、及びボールが通常設定されるが、フィルム積層システムやスプレー塗布システムの費用や繁雑性を回避するところの、あらゆる種類の用途に、役立つことができるような、防水性で生分解性で使い捨ての用品を製造するための改良されたシステムを、提供することである。」
　
（刊１−２）「[0025] A formulation …… the mold system.」
「【００２５】
  防水性パッケージ用品（箱、容器、プレート、トレー、ボール、及びコップ）を生産することができる本発明の調合物は、水と、澱粉と、任意の不溶化化合物と、任意のタンパク質及び天然高分子化合物と、任意の数種類の天然繊維材料と、任意のワックス乳剤及び／又は繊維サイズ剤と、任意の離型剤と、を含んでいる。不溶化化合物は、焼いた食品サービス用品の澱粉部分の水分感受性を低減するためのものである。タンパク質及び天然高分子化合物は、乾燥環境での用途に生産された物品の壊れやすさを低減し、また、用品が普通に乾燥される時の形成直後の破壊を防止するためのものである。天然繊維材料は、焼いた用品における（数種類のサイズスケールでの）構造要素として、及び、無機フィラーと交換される安価な有機フィラーとして、組み合わされて使用されるものである。
ワックス乳剤及び／又は繊維サイズ剤は、防水性を増大するために調合物に含まれている
　
（刊１−３）「 [0030] Moreover　…… or the like.」
「【００３０】
  更に、他のタンパク質も、容器の防水特性を向上させるために、カゼイン及びラテックスと組み合わせた調製品で、又は、別々に、使用できる。例えば、そのようなタンパク質としては、卵白、寒天、ゼラチンなどがある。」
　
（刊１−４）「[0031] Several natural fibrous …… that they make.) 
 [0032] Optionally, the shorter fibers …… of the formulation.」
「【００３１】
  幾つかの天然繊維材料は、焼いた用品における（数種類のサイズスケールでの）構造要素として、及び／又は、無機フィラーに代わる安価な有機フィラーとして、の両方の組み合わせで使用できる。繊維要素は、ウェットバター（wet batter）の成形特性を制御するため、及び、最終の食品サービス物品の構造安定性を向上させるための、両方に使用される。調合物において使用される繊維長さ及び繊維アスペクト比には、範囲があるが、調合物の繊維部分は、一般的な意味では、異なる作用を奏する３つの（繊維長さに基づく）クラスに分けることができる。長い又は非常に長い（４〜２５ｍｍ又はそれ以上の）、繊維又は複合繊維要素は、それが型内に広がるときにバター内で欠陥が形成されるのを防止するメッシュワーク、を形成するのに、使用される。中位の長さの繊維（０．５〜５ｍｍ）も、ウェットバターの流れ特性を制御するのを助け、また、最終の食品サービス物品の堅牢性を増大させるよう機能し、取扱中及び通常の使用中に破砕するのを、防止する。
短い繊維（０．５ｍｍ未満）は、主に、生分解性材料を調合物中に容易に導入するための手段として、すなわちフィラー材料として、機能し、
【００３２】
　状況に応じて、
短い繊維は、短い繊維と同じ利点を与える他のフィラー材料と共に使用でき
例えば、そのようなフィラー材料としては、例えば、炭酸カルシウム、シリカ、硫酸カルシウム、硫酸カルシウム水和物、ケイ酸マグネシウム、雲母鉱物、粘土鉱物、二酸化チタン、タルク等の、有機及び無機の両方の集合体がある
　
（刊１−５）「[0036] The preferred wax emulsions …… lignosulfonate-based types.」
「【００３６】
  防水性を増大させるのに使用される調合物中の好ましいワックス乳剤は、パラフィン又は微結晶性ワックスから通常作られる安定した水性乳剤であり、それは、しばしばロジンを含有する。それは、通常、乳化剤及び機械的撹拌によって、作られる。乳剤は、酸安定性又はアルカリ安定性のいずれかでよく、使用される乳化剤に依存する。ワックス乳剤は、天然ワックス、例えば、動物、植物、又は鉱物；或いは、合成ワックス、例えば、エチレンポリマー、ポリエチルエステル；或いは、塩素化ナフタレン；或いは、炭化水素タイプワックス；から作ることができ、最終製品の特定用途及び所望の特性に依存する。本発明の調合物において使用するのに適しているワックス乳剤の例としては、乳化パラフィンワックス及び乳化多結晶ワックスがある。乳化システムは、石けん性タイプ及びリグノスルホン酸性タイプの両方を含む。」
　
（刊１−６）「[0046] The aforementioned method …… in the art.」
「【００４６】
  本発明の上記方法は、食用の焼いた食品及びその他の焼いた製品の両方を製造するのに使用できる。その他の焼いた製品とは、例えば食品容器などで使用する澱粉性材料がある。上記方法で使用する混合物は、一般に、水性のものであるが、ここで述べたような混合物を含む。しかしながら、当業者は、混合物が水性である必要はなく、例えばアルコール性混合物やその他の非水性混合物でもよいことを、理解できる。上記方法で使用できる混合物の具体的な例は、当業者にとって明らかであり、限定するものではないが、例えばワッフル、クッキーの生地、又はアイスクリームコーンバターなどの、一般の焼いた混合物を含む。焼いた混合物としては、澱粉及び水からなる澱粉性混合物や、樹脂と混合された複合材料からなる混合物がある。その樹脂は、加熱したり焼いたりする際に生成されるガスに対して浸透可能である膜を形成する。更に、加熱の、温度及び時間のような、具体的な焼き処理は、加熱されたり焼いたりされる具体的な混合物に応じて変化し、当業者にとって明らかである。」
　
（刊１−７）「CLAIMS
  What is claimed is:
1. A composition ……
……
39. The composition of claim 38 wherein the coating partially permeates the matrix of the composition.」
「【特許請求の範囲】
【請求項１】
　生分解性の食品サービス容器を作るのに使用する組成物であって、
　水と、
　澱粉と、
　繊維と、
　ワックス乳剤と、
　繊維サイズ剤と、を含んでいることを特徴とする組成物。
【請求項２】
　澱粉が、プレゼラチン化澱粉及び天然澱粉からなっている、請求項１記載の組成物。
【請求項３】
　プレゼランチン化澱粉が、組成物中の全澱粉の重量の０％より大きく３０％未満の範囲で含まれている、請求項２記載の組成物。
　……
【請求項１０】
　更に、タンパク質又は天然高分子化合物を含んでいる、請求項１記載の組成物。
【請求項１１】
　タンパク質又は天然高分子化合物が、カゼイン及びラテックスからなっている、請求項１０記載の組成物。
　……
【請求項１６】
　更に、組成物の耐水特性を向上させるためのタンパク質を含んでいる、請求項１記載の組成物。
【請求項１７】
　組成物の耐水特性を向上させるための上記タンパク質が、更に、卵白、寒天、又はゼラチンからなっている、請求項１６記載の組成物。
【請求項１８】
　繊維が、長い繊維、中位の繊維、及び短い繊維を、含んでいる、請求項１記載の組成物。
【請求項１９】
　繊維が、天然繊維材料を含んでいる、請求項１８記載の組成物。
　……
【請求項２２】
　フィラー材料を含んでいる、請求項１記載の組成物。
【請求項２３】
　フィラー材料が、有機物である、請求項２２記載の組成物。
【請求項２４】
　フィラー材料が、炭酸カルシウム、シリカ、硫酸カルシウム水和物、ケイ酸マグネシウム、雲母鉱物、粘土鉱物、二酸化チタン、又はタルクからなっている、請求項２２記載の組成物。
　……
【請求項２８】
　繊維が、成長の早い植物の繊維を含んでいる、請求項１記載の組成物。　
　……
【請求項３２】
　ワックス乳剤が、天然ワックスからなっている、請求項１記載の組成物。
　……
【請求項３６】
　更に、離型剤を含んでいる、請求項１記載の組成物。
【請求項３７】
　離型剤が、ステアリン酸マグネシウム、タルク、又は油脂からなっている、請求項３６記載の組成物。
【請求項３８】
　更に、コーティング剤を含んでいる、請求項１記載の組成物。
【請求項３９】
　コーティング剤が、組成物のマトリクスに部分的に浸透する、請求項３８記載の組成物。」
　
（イ）刊行物２に記載された事項
　原査定で引用文献２として引用され、本願優先権主張日前に頒布された刊行物である「特開平８−８１５６５号公報」（以下、「刊行物２」という。）には、以下の事項が記載されている。
　
（刊２−１）「【特許請求の範囲】
【請求項１】生分解性を有する原料を高周波通電加熱および／または高周波誘電加熱により製造することを特徴とする生分解性成形物の製造方法。
【請求項２】低周波通電加熱を併用して製造することを特徴とする請求項１記載の生分解性成形物の製造方法。
【請求項３】押出しを併用して製造することを特徴とする請求項１または２記載の生分解性成形物の製造方法。
【発明の詳細な説明】
【０００１】
【発明の属する技術分野】本発明は、土中の細菌や、微生物等により分解可能な
生分解性成形物
　
（刊２−２）「【００２７】上記製造方法によって得られた、本発明にかかる生分解性成形物は、例えば、ハンバーガー、ホットドッグ、フライドポテト、フライドチキン、たこやき、フランクフルト、餅、白飯、アイスクリーム、ラーメン、うどん、シチュー、スープ、カレー、野菜、果物、肉、魚、乾物、ジュース、コーヒー、ビール、紅茶、牛乳等の食品用容器としてや、アイスクリームのコーンカップ等の
可食性容器
　
（刊２−３）「【００４９】まず、生分解性成形物の原料について説明する。本実施例にかかる生分解性成形物の製造方法においては、大豆タンパクと
水
【００５０】上記の原料としては、具体的には、例えば、（１）大豆タンパク、とうもろこしタンパク、
カゼイン
デンプン
α化
　
（刊２−４）「【００５２】また、上記の原料を主原料とし、副原料として以下の種々のものが採用できる。
　……
【００５４】……（９）
カルナウバワックス、カンデリラろう
ワックス
植物性繊維
炭酸カルシウム
タルク、二酸化チタン、シリカゲル
非繊維フィラー
ステアリン酸
脂肪酸
それらの金属塩
　
（刊２−５）「【００６７】同じくその他に、（３０）に挙げた調味料あるいはそれらの混合物、（３６）無機顔料、天然・合成染料、カラメル、カカオ末、カーボンブラック等の
着色料
香料
　
（刊２−６）「【０１４０】以上の組成を有する各原料および上記加熱装置を用いて生分解性成形物を製造したところ、得られた成形物は均一な組織を有し、色むらも無く、良好な強度を有する物であった。同時に、
可食容器としても使用できる良好な風味・食感を有していた
　
ウ．刊行物１に記載された発明
　上記刊行物１の摘示（刊１−４）には、「
短い繊維（０．５ｍｍ未満）は、主に、生分解性材料を調合物中に容易に導入するための手段として、すなわちフィラー材料として、機能し
短い繊維は、短い繊維と同じ利点を与える他のフィラー材料と共に使用でき
例えば、そのようなフィラー材料としては、例えば、炭酸カルシウム、シリカ、硫酸カルシウム、硫酸カルシウム水和物、ケイ酸マグネシウム、雲母鉱物、粘土鉱物、二酸化チタン、タルク等の、有機及び無機の両方の集合体がある
　この事項を加味し、摘示（刊１−７）について、引用する請求項を整理すれば、刊行物１には、次の発明（以下、「引用発明１」という。）が記載されていると認められる。
　
「生分解性の食品サービス容器を作るのに使用する組成物であって、
　水と、
　澱粉と、
　繊維と、
　離型剤と、
　ワックス乳剤と、
　繊維サイズ剤と、を含み、
　更に、タンパク質又は天然高分子化合物を含んでおり、
　澱粉が、プレゼラチン化澱粉及び天然澱粉からなり、
　プレゼランチン化澱粉が、組成物中の全澱粉の重量の０％より大きく３０％未満の範囲で含まれ、
　タンパク質又は天然高分子化合物が、カゼイン及びラテックスからなり、
　更に、組成物の耐水特性を向上させるためのタンパク質を含んでおり、
　組成物の耐水特性を向上させるための上記タンパク質がゼラチンからなり、
　繊維が、長い繊維、中位の繊維、及び短い繊維を、含んでおり、
　繊維が、天然繊維材料を含み、
　フィラー材料を含んでおり、
　フィラー材料が、有機物であり、
　フィラー材料が、炭酸カルシウム、シリカ、硫酸カルシウム水和物、ケイ酸マグネシウム、雲母鉱物、粘土鉱物、二酸化チタン、又はタルクを含み、
　フィラー材料として、短い繊維を含み、
　繊維が、成長の早い植物の繊維を含んでおり、
　ワックス乳剤が、天然ワックスからなり、　
　離型剤が、ステアリン酸マグネシウム、タルク、又は油脂からなり、　
　更に、コーティング剤を含んでおり、
　コーティング剤が、組成物のマトリクスに部分的に浸透する組成物。」
　
エ．対比
（ア）引用発明１の「生分解性の食品サービス容器」は、本願補正発明の「生分解性食品用容器」に相当し、以下同様に、「プレゼラチン化澱粉」は「アルファ化澱粉」に、「長い繊維、中位の繊維、及び短い繊維」は「長繊維、中間長繊維及び短繊維」に、「フィラー材料」は「充填材」に、「有機物であり」は「有機であり」に、「ステアリン酸マグネシウム」は「ステアリン酸金属化合物」に、「油脂」は「脂肪又は油」に、「コーティング剤」は「コーティング」に、「組成物のマトリクス」は「組成物の素地」に相当する。
　
（イ）引用発明１の「タンパク質又は天然高分子化合物」は、、本願補正発明の「第一の蛋白質又は天然高分子化合物」に相当し、引用発明１の「タンパク質又は天然高分子化合物が、カゼイン及びラテックスからなり」と、本願補正発明の「第一の蛋白質又は天然高分子化合物が、カゼイン又は大豆蛋白質を含んでおり」は、「第一の蛋白質又は天然高分子化合物が、カゼインを含んでおり」との限度で一致する。
　
（ウ）引用発明１の「更に、組成物の耐水特性を向上させるためのタンパク質を含んでおり、組成物の耐水特性を向上させるための上記タンパク質がゼラチンからなり」と、本願補正発明の「乾燥時に組成物の物理的特性を向上させるために、第二の蛋白質を更に含んでおり、前記第二の蛋白質が、胚乳又はゼラチンを更に含んでおり」は、少なくとも、「第二の蛋白質を更に含んでおり、前記第二の蛋白質が、胚乳又はゼラチンを更に含んでおり」との限度で一致する。
　
（エ）そうすると、本願補正発明と引用発明１とは、次の点で一致する。
「生分解性食品用容器の製造で用いる組成物において、
　水と、
　澱粉と、
　繊維と、
　離型剤と、
　ワックス乳剤と、
　第一の蛋白質又は天然高分子化合物と、
　を含んでおり、
　澱粉が、アルファ化澱粉及び天然澱粉を含んでおり、
　アルファ化澱粉が、組成物中の総澱粉の、０重量％超〜３０重量％未満の範囲にあり、
　第一の蛋白質又は天然高分子化合物が、カゼインを含んでおり、
　第二の蛋白質を更に含んでおり、
　前記第二の蛋白質が、胚乳又はゼラチンを更に含んでおり、
　繊維が、長繊維、中間長繊維及び短繊維を含んでおり、
　繊維が、天然繊維材料を含んでおり、
　充填材を更に含んでおり、
　充填材が、有機であり、
　充填材が、炭酸カルシウム、シリカ、硫酸カルシウム水和物、ケイ酸マグネシウム、雲母鉱物、粘土鉱物、二酸化チタン又はタルク、を含んでおり、
　充填材が、短繊維を含んでおり、
　繊維が、成長の速い植物由来の繊維を含んでおり、
　ワックス乳剤が、天然ワックスを含んでおり、
　離型剤が、ステアリン酸金属化合物、脂肪酸、タルク、脂肪又は油、を含んでおり、
　コーティングを更に含んでおり、
　コーティングが、組成物の素地に部分的に浸透している組成物。」
　
（オ）そして、次の点で相違する。
（Ａ）生分解性食品用容器が、本願補正発明では「可食性生分解性食品用容器」と特定され、また、組成物について、本願補正発明では「組成物が、実質的に食品用材料から成っており」と特定されているのに対し、引用発明１では、このような特定がなされていない点。（以下、「相違点（Ａ）」という。）
（Ｂ）引用発明１では「繊維サイズ剤」を含むのに対し、本願補正発明ではそうでない点。（以下、「相違点（Ｂ）」という。）
（Ｃ）第一の蛋白質又は天然高分子化合物に関し、本願補正発明では「カゼイン又は大豆蛋白質を含」むのに対し、引用発明１では「カゼイン及びラテックス」からなる点。（以下、「相違点（Ｃ）」という。）
（Ｄ）第二の蛋白質に関し、本願補正発明では「乾燥時に組成物の物理的特性を向上させるため」であるのに対し、引用発明１では「組成物の耐水特性を向上させるため」である点。（以下、「相違点（Ｄ）」という。）
（Ｅ）ワックス乳剤が、本願補正発明では「乳化カルナウバ蝋又は乳化カンデリラ蝋を含んでいるのに対し、引用発明１では、そのように特定されていない点。（以下、「相違点（Ｅ）」という。）
（Ｆ）本願補正発明は「着香剤と、着色剤と、を更に含んでいる」のに対し、引用発明１はそのように特定されていない点。（以下、「相違点（Ｆ）」という。）
　
オ．判断
（ア）相違点（Ａ）について
　刊行物２は、「生分解性成形物」に関するものであって（摘示（刊２−１））、生分解性成形物の原料として次の記載がある。
「本実施例にかかる生分解性成形物の製造方法においては、大豆タンパクと
水
上記の原料としては、具体的には、例えば、（１）大豆タンパク、……、
カゼイン
デンプン
α化
「また、上記の原料を主原料とし、副原料として以下の種々のものが採用できる。
　……（９）カルナウバワックス、カンデリラろう、みつろう、パラフィン、マイクロクリスタリンワックス等の
ワックス
植物性繊維
炭酸カルシウム
タルク、二酸化チタン、シリカゲル
非繊維フィラー
ステアリン酸
脂肪酸
それらの金属塩
　上記記載によると、刊行物２に係る生分解性成形物のための組成物は、水と、澱粉と、繊維と、ワックスとを含んでなり、澱粉が、アルファー化澱粉の場合もあり、タンパク質として、カゼインが例示され、フィラーとして、炭酸カルシウム、タルク、二酸化チタン、シリカが挙げられ、ワックスを含み、ステアリン酸の金属塩を含むものであるから、引用発明１に係る生分解性食品サービス容器のための組成物と大部分共通している。
　ところで、刊行物２には、摘示（刊２−２）に、「上記製造方法によって得られた、本発明にかかる生分解性成形物は、……アイスクリームのコーンカップ等の
可食性容器
可食容器としても使用できる良好な風味・食感を有していた
　そうすると、刊行物２は、生分解性成形物のための組成物に関する点で引用発明１と技術分野が共通しているとともに、刊行物２には、引用発明１と大部分共通する組成が開示され、可食性容器として利用することも開示されているから、引用発明１の組成物を可食性容器として利用することの示唆もあるといえる。
　よって、引用発明１に係る生分解性の食品サービス容器を可食性容器として利用することは、刊行物２の開示に照らして当業者が容易に想到し得たことであり、その際、可食性容器として利用する観点から、組成物を「実質的に食品用材料から」なるようにすることは当業者が当然に配慮することであって格別なことではない。
　したがって、引用発明１の生分解性の食品サービス容器を「可食性生分解性食品用容器」とし、「組成物が、実質的に食品用材料から」なるものとすること、すなわち相違点（Ａ）に係る本願補正発明の構成となすことは、引用発明１及び刊行物２記載の技術事項に基づいて当業者が容易に想到し得たことである。
　
（イ）相違点（Ｂ）について
　上記（ア）で検討したように、引用発明１の組成物を「実質的に食品用材料から」なるものとすることは、当業者が容易に想到し得たことである。
　そして、引用発明１に係る「繊維サイズ剤」に関し、刊行物１の請求の範囲に、「３５．繊維サイズ剤が、アルキルケテンダイマー乳剤、無水コハク酸アルケニル、アクリル酸スチレンコポリマー、又はアルキル化メラミン、からなっている、請求項３４記載の組成物。」と記載されている。
　上記記載のものは、通常食用に供されるものでないから、引用発明１の組成物を「実質的に食品用材料から」なるものとするため、「繊維サイズ剤」を除くことは、当業者が容易に想到し得たことである。
　したがって、相違点（Ｂ）に係る本願補正発明の構成は、引用発明１及び刊行物２記載の技術事項に基づいて当業者が容易に想到し得たものである。
　
（ウ）相違点（Ｃ）について
　上記（ア）で検討したように、引用発明１の組成物を「実質的に食品用材料から」なるものとすることは、当業者が容易に想到し得たことである。
　そして、「ラテックス」は、通常食用に供さないものであるから、引用発明１の組成物を「実質的に食品用材料から」なるものとするため、引用発明１における「カゼイン及びラテックス」から「ラテックス」を除いた「カゼイン」のみを利用することは、当業者が容易に想到し得たことである。
　したがって、相違点（Ｃ）に係る本願補正発明の構成は、引用発明１及び刊行物２記載の技術事項に基づいて当業者が容易に想到し得たものである。
　
（エ）相違点（Ｄ）について
　本願補正発明の「乾燥時に組成物の物理的特性を向上させるために、第二の蛋白質を更に含んでおり」の「乾燥時に組成物の物理的特性を向上させるため」という事項は、第二の蛋白質を含める目的をいうものにすぎず、第二の蛋白質を具体的に特定するものではない。
　また、「乾燥時に組成物の物理的特性を向上させるため」という事項に関し、本願明細書には、
「【００１１】
　更に、現行の技術では、澱粉ベースの食品用物品は、通常、２又は３つの主要な相：無機充填材及び／又は繊維材を含む素地(matrix)材（主に澱粉）、を含んでいる。澱粉素地材の物理的特性はこれらの物品の性能に不可欠である。通常、焼成非修飾澱粉は乾燥時には相当脆く、砕け易いが、澱粉が５％〜１０％の水分を含むときには比較的軟性で柔軟である。現行の技術では、澱粉の含水量が極少である場合、特に、離型直後時、澱粉ベースの物品の曲げ強度及び破壊エネルギーを高めるため、処方設計に繊維が添加されることが多い。しかし、相当量（１０％又はそれ以上）の繊維を加えても、離型直後或いは乾燥した環境（冬季での暖房建築物、夏季での空調建築物、１年中どの季節でも砂漠環境）で長期間保存される場合、一般に、澱粉ベースの物品は極脆弱である。従って、澱粉ベースの物品の脆性破壊は製造工程時（特に、コーティング又はラミネートフィルムが施される前）及び物品が乾燥した環境で使用されるときに問題となり続ける。」或いは、
「【００３１】
　可食包装物品（容器、皿、トレイ、ボウル、コーン及びコップ並びに他の新規形状物）から生産可能である、本発明による処方設計は、水；と、澱粉；と、オプションで(optionally)、焼成物品における（様々な縮尺での）構造的要素としても無機充填材の安価な有機代替物としても、組み合わせて用いられる、複数の天然繊維材料；と、オプションで、乾燥した環境で使用するために生産される物品の脆性を低減するとともに、物品が一般的に乾燥している形成直後の破壊を阻止するための、蛋白質及び天然高分子化合物；と、オプションで、完成品の耐水性を高めるための、ワックス乳剤；と、オプションで、焼成部分と成形システムとの接着を低減するための、離型剤；と、オプションで、物品の感覚的魅力を高めるための、食品用着色剤及び／又は着香剤と、を含むものを提供する。」との記載がある。
　しかるに、ここには、本願補正発明に係る「第二の蛋白質」に含まれる「胚乳又はゼラチン」に関して、「乾燥時に組成物の物理的特性を向上させるため」という事項と結びつける記載はない。
　一方、本願明細書の段落【００３４】には、
「
容器の耐水性を向上させるため
ゼラチン
　そうすると、本願補正発明の「乾燥時に組成物の物理的特性を向上させるため」は、引用発明１の「組成物の耐水特性を向上させるため」と同等の技術事項を意味するものと解さざるを得ない。
　したがって、相違点（Ｄ）は、本願補正発明と引用発明１との実質的な相違点とはならない。
　
（オ）相違点（Ｅ）について
　刊行物２の摘示（刊２−４）には、「また、上記の原料を主原料とし、副原料として以下の種々のものが採用できる。……（９）
カルナウバワックス、カンデリラろう
ワックス
　ここには、ワックスとして、カルナウバワックス（蝋）やカンデリラ蝋が例示されている。
　そうすると、引用発明１の「ワックス乳剤」として「乳化カルナウバ蝋又は乳化カンデリラ蝋」を利用することは、当業者であれば容易に想到し得ることである。
　したがって、相違点（Ｅ）に係る本願補正発明の構成は、引用発明１及び刊行物２記載の技術事項に基づいて当業者が容易に想到し得たものである。
　
（カ）相違点（Ｆ）について
　刊行物２の摘示（刊２−５）には、「同じくその他に、（３０）に挙げた調味料あるいはそれらの混合物、（３６）無機顔料、天然・合成染料、カラメル、カカオ末、カーボンブラック等の
着色料
香料
　そうすると、引用発明１の組成物に、着色料や香料を加えることは、当業者にとって格別困難なことではない。
　したがって、相違点（Ｆ）に係る本願補正発明の構成は、引用発明１及び刊行物２記載の技術事項に基づいて当業者が容易に想到し得たものである。
　
（キ）本願補正発明の効果について
　本願補正発明の効果は、引用発明１及び刊行物２記載の技術事項から予測されるところを越えて優れているとはいえない。
　
カ．まとめ
　以上のとおり、本願補正発明は、その出願前日本国内又は外国において頒布された刊行物１及び２に記載された発明に基づき当業者が容易に発明をすることができたものであるから、特許法第２９条第２項の規定により、特許出願の際、独立して特許を受けることができない。
　したがって、上記補正は、平成１８年改正前特許法第１７条の２第５項において準用する同法第１２６条第５項の規定に違反するので、この補正を含む本件補正は、同法第１５９条第１項において読み替えて準用する同法第５３条第１項の規定により却下すべきものである。
　
第３　本願発明
　本件補正は上記のとおり却下されたので、本願の請求項１に係る発明（以下、「本願発明」という。）は、平成２４年３月２６日付けの手続補正書により補正された特許請求の範囲の請求項１に記載された事項により特定されるとおりのものである（第２　２．（１）（補正前の請求項１）参照。）。
　
第４　刊行物に記載された事項
　原査定の拒絶の理由に引用された刊行物及びその記載事項は、前記「第２　２．（２）イ．」のとおりであり、刊行物１に記載された発明は、前記「第２　２．（２）ウ．」のとおりである。
　
第５　判断
　本願発明は、前記「第２」で検討した本願補正発明から、
「第一の蛋白質又は天然高分子化合物が、カゼイン又は大豆蛋白質を含んでおり、
　乾燥時に組成物の物理的特性を向上させるために、第二の蛋白質を更に含んでおり、
　前記第二の蛋白質が、胚乳又はゼラチンを更に含んでおり、
　繊維が、長繊維、中間長繊維及び短繊維を含んでおり、
　繊維が、天然繊維材料を含んでおり、
　充填材を更に含んでおり、
　充填材が、有機であり、
　充填材が、炭酸カルシウム、シリカ、硫酸カルシウム水和物、ケイ酸マグネシウム、雲母鉱物、粘土鉱物、二酸化チタン又はタルク、を含んでおり、
　充填材が、短繊維を含んでおり、
　繊維が、成長の速い植物由来の繊維を含んでおり、
　ワックス乳剤が、天然ワックスを含んでおり、
　ワックス乳剤が、乳化カルナウバ蝋又は乳化カンデリラ蝋を含んでおり、
　離型剤が、ステアリン酸金属化合物、脂肪酸、タルク、脂肪又は油、を含んでおり、
　コーティングを更に含んでおり、
　コーティングが、組成物の素地に部分的に浸透し、
　着香剤と、着色剤と、を更に含んでいる」
との限定事項を省いたものである。
　そうすると、本願発明の発明特定事項を全て含み、さらに他の限定を付加したものに相当する本願補正発明が、前記「第２　２．（２）」に記載したとおり、刊行物１及び２に記載された発明に基づいて、当業者が容易に発明をすることができたものであるから、本願発明も同様の理由により、刊行物１及び２に記載された発明に基づいて、当業者が容易に発明をすることができたものである。
　
第６　むすび
　以上のとおり、本願発明は、本願出願前に頒布された刊行物１及び２に記載された発明に基づいて当業者が容易に発明をすることができたものであるから、特許法第２９条第２項の規定により特許を受けることはできない。
　したがって、本願は、その余の請求項に係る発明について検討するまでもなく、拒絶すべきものである。
　よって、結論のとおり審決する。